(57)【要約】【課題】  本発明の目的は、食玩やフィギュア付ボトルキャップなどのフィギュアを任意の位置に見栄えよく載置することができるコレクションケースを提供することにある。【解決手段】  本発明のコレクションケースは、複数のフィギュア１を収納又は展示するコレクションケースであって、表面に複数の穴が穿設された台座２と、台座２の穴にピン止めされる固定台３と、固定台３及び前記台座２の上部を覆うカバーケース４と、を有する。【選択図】  図１
2006006911.tif 000002
【特許請求の範囲】
【請求項１】
複数のフィギュアを収納又は展示するコレクションケースであって、
表面に複数の穴が穿設された台座と、
該台座の穴にピン止めされる固定台と、
該固定台及び前記台座の上部を覆うカバーケースと、
を有することを特徴とするコレクションケース。
【請求項２】
前記台座上にピン止めされる追加台座を有する、
ことを特徴とする請求項１に記載のコレクションケース。
【請求項３】
前記追加台座の表面は、傾斜可能に構成されている、
ことを特徴とする請求項２に記載のコレクションケース。
【請求項４】
前記固定台の表面には、別の固定台をピン止めする複数の穴が穿設されている、
ことを特徴とする請求項１に記載のコレクションケース。
【請求項５】
前記固定台は、ボトルキャップを挿着するのに最適な大きさである、
ことを特徴とする請求項１又は請求項４に記載のコレクションケース。
【請求項６】
前記カバーケースには、面に沿って配置される装飾材を固定する爪が設けられている、
ことを特徴とする請求項１に記載のコレクションケース。
【請求項７】
フィギュアを載置する面を形成する金属板と、該金属板の下面に設けられ前記台座の穴に挿入される固定ピンと、からなるフラット台座を有し、
前記金属板上にボトルキャップを挿着するのに最適な大きさのマグネットを配置してフィギュアを収納又は展示することを特徴とする請求項１に記載のコレクションケース。
【請求項８】
前記台座の下方に設けられ、前記穴を通じて光を照射する照明手段を有することを特徴とする請求項１に記載のコレクションケース。
【発明の詳細な説明】
【技術分野】
【０００１】
本発明は、フィギュア（食玩やフィギュア付ボトルキャップを含む）を収納・展示するためのコレクションケースに関する。
【背景技術】
【０００２】
古くからお菓子のおまけとして、人・動物・構造物・漫画の主人公などを象った食玩は存在するが、近年では、ペットボトル式飲料のおまけとして、ボトルキャップに人・動物・構造物・漫画の主人公などを象ったフィギュアを付したものが頻繁に販売されている。また、観光名所のお土産やメーカーのイベント提供品などとしても、フィギュア付ボトルキャップが販売されるようになっている。
【０００３】
かかる食玩やフィギュア付ボトルキャップなどのフィギュアは、一般に、一定期間シリーズ物として販売され、限定物やシークレット物の存在もあって、全種類集めることに価値があり、個人売買やネットオークションなどにおいて、商品によっては定価の１００倍以上などの高額で取り引きされることもある。
【０００４】
また、コレクターの心理としては、収集したフィギュアをシリーズ物として一括して見栄えよく収納・展示したいという要求があり、また、そうすることでさらにコレクションの価値をあげることもできる。
【０００５】
例えば、特許文献１に示すような、複数個のフィギュアをまとめて収納できるようにしてフィギュアシリーズの完全性を保つとともに、これらのフィギュアをその高さが統一されているか否かとは無関係に見栄えよく収納して保管することが可能なコレクションケースが存在する。
【特許文献１】実用新案登録第３０９６５８７号公報  かかるコレクションケースは、ポリプロピレンなどの合成樹脂からなる四角形台状のメインステージを有しており、メインステージ上には２つのフィギュア載置領域が前後に分かれて設けられている。後方のフィギュア載置領域には、このコレクションケースに収納するフィギュアの高さや大きさに応じて、ポリプロピレンなどの合成樹脂からなる細幅四角形台状のステージがピン係合でメインステージに着脱自在に載置されている。
【発明の開示】
【発明が解決しようとする課題】
【０００６】
ところが、上述したコレクションケースでは、
（１）フィギュア自身はステージやフィギュア載置領域に固定されていないため、コレクションケースを移動させたり、衝撃を与えたりした場合には、コレクションケースの中でフィギュアは転倒したり移動してしまったりして不安定である、
（２）フィギュア用のコレクションケースでは、ボトルキャップの大きさに合うように製作されておらず、シリーズ物を一括して収納できるサイズのコレクションケースがなかなか存在しない、
（３）両面テープや接着剤でフィギュアを固定することも考えられるが、この場合には、載置する場所を一度決めてしまうとフィギュアの並び替えをすることが困難であり、またフィギュアとしての商品価値もさがってしまう、
（４）ケースの台座に突起を設けたボトルキャップ専用のコレクションケースでは、ボトルキャップを載置したときの不安定さは解消するが、載置場所が固定されてしまい、レイアウトの変更ができない、
などの問題があった。
【０００７】
本発明は、かかる課題に鑑みてなされたもので、食玩やフィギュア付ボトルキャップなどのフィギュアを任意の位置に見栄えよく載置することができるコレクションケースを提供するものである。
【課題を解決するための手段】
【０００８】
本発明は、複数のフィギュアを収納又は展示するコレクションケースであって、表面に複数の穴が穿設された台座と、該台座の穴にピン止めされる固定台と、該固定台及び前記台座の上部を覆うカバーケースと、を有することを特徴とするコレクションケースを提供する。
【０００９】
本発明によれば、固定台を用いることによって、特にフィギュア付ペットボトルキャップのディスプレイに最適なコレクションケースが提供され、任意の位置にフィギュアを配置することができる。
【００１０】
また、本発明のコレクションケースは、前記台座上にピン止めされる追加台座を有することが好ましく、さらに、該追加台座の表面は、傾斜可能に構成されていることが好ましい。かかる追加台座により、台座に段差を形成することができ、フィギュアの大きさや形状に合わせた配置を構成することができる。さらに、従来のコレクションケースでは不可能であった傾斜面を容易に形成することができる。
【００１１】
また、本発明のコレクションケースで使用する固定台の表面には、別の固定台をピン止めする複数の穴が穿設されていることが好ましく、さらに、ボトルキャップを挿着するのに最適な大きさであることが好ましい。かかる構成により、固定台の高さを任意に変更することができ、所定のフィギュアを高い位置に配置したり、ペットボトルキャップの深さが深い場合に使用したりすることができる。
【００１２】
また、本発明のコレクションケースで使用するカバーケースには、面に沿って配置される装飾材を固定する爪が設けられていることが好ましい。かかる構成により、コレクションケースの背景として、壁紙（板）を装飾したり、写真や鏡を飾ったりすることができる。
【００１３】
さらに、フィギュアを載置する面を形成する金属板と、該金属板の下面に設けられ前記台座の穴に挿入される固定ピンと、からなるフラット台座を有し、前記金属板上にボトルキャップを挿着するのに最適な大きさのマグネットを配置してフィギュアを収納又は展示することが好ましい。かかる構成により、前記台座の穴を隠しつつフィギュアを任意の位置に配置することができる。
【００１４】
なお、前記台座の下方に、前記穴を通じて光を照射する照明手段を設けてもよい。この場合には、フィギュアを固定するための穴をライトアップやデコレーション用の透光部として利用することができ、コレクションケースにおけるショーアップ手法の多様化を図ることができる。
【発明の効果】
【００１５】
本発明のコレクションケースによれば、特にフィギュア付ペットボトルキャップのディスプレイに最適なコレクションケースが提供され、フィギュア付ペットボトルキャップを任意の位置に載置することができ、容易に位置を固定することができ、容易にレイアウトを変更することができ、シリーズ物を一括して収納することができ、見栄えをよくすることができる、などの優れた効果を奏する。この結果、低年齢の利用者や専門知識を有さない利用者であっても、自由なディスプレイアレンジを簡単に実現することができる。
【発明を実施するための最良の形態】
【００１６】
［第１実施形態］
以下、本発明の第１実施形態について図１乃至図５を参照して説明する。ここで、図１は、本実施形態のコレクションケースの全体構成図である。
【００１７】
同図に示すように、本実施形態のコレクションケースは、複数のフィギュア１を収納又は展示するコレクションケースであって、表面に複数の穴２１が穿設された台座２と、台座２の穴２１にピン止めされる固定台３と、固定台３及び前記台座２の上部を覆うカバーケース４と、を有する。
【００１８】
台座２は、上面がフィギュア１を収納又は展示するフィギュア載置面２ａを形成し、側面にはカバーケース４の係合爪４ａと噛み合う係合孔２ｂが形成されている。前面にはコレクションの名前を記入又は表示することができるネームプレート部２ｃが形成されている。かかる前面は、ネームプレート部２ｃを見やすくするために、フィギュア載置面２ａから傾斜して前側に突出するように形成されている。もちろん、フィギュア載置面２ａから垂直となるように形成されていてもよい。また、台座２は、一般にプラスチック製であるが、これに限定されるものではない。
【００１９】
固定台３は、特にフィギュア付ペットボトルキャップをディスプレイする際に用いられるものであり、略円柱状の形状をしており、下面にフィギュア載置面２ａの穴２１に挿入される２本の固定ピン３ａを有し、上面に他の固定台３の固定ピン３ａを挿入することができる積層用穴３ｂが形成されている。固定ピン３ａの径及び高さは、ペットボトルキャップを被せるのに最適な大きさに設計されている。例えば、通常のペットボトルキャップであれば、径は約３ｃｍ、高さは約１．５ｃｍ程度に設計される。固定ピン３ａと積層用穴３ｂの位置関係は、並び方向が直角をなすようにするのが好ましいが、必ずしもその位置関係に限定されるものではなく、固定ピン３ａの上部に重なるように積層用穴３ｂが形成されていてもよい。
【００２０】
カバーケース４には、台座２の係合孔２ｂに噛み合う係合爪４ａと、コレクションケースの背景を構成するための壁紙（板）・写真・鏡などの装飾材を飾るための装飾爪４ｂと、が形成されている。係合爪４ａは、カバーケース４を台座２に固定するためのものであるが、必ずしも形成されている必要はなく、例えば、台座２に溝が形成され、該溝にカバーケース４の縁部が挿入されるようになっていてもよい。装飾爪４ｂは、図１では背面の内側に形成されているが、背面の外側に形成されていてもよいし、背面以外の側面や上面に同様の爪が形成されていてもよい。なお、カバーケース４は、一般に透明なプラスチック製である。
【００２１】
上述した本実施形態のコレクションケースによれば、台座２のフィギュア載置面２ａに複数の穴２１が穿設されており、その穴２１に固定台３を差し込むことによって、任意の位置にフィギュア付ペットボトルキャップをディスプレイするための専用台座を配置することができる。また、固定台３の配置に際し、両面テープや接着剤を使用せず、ピン止めしているだけであるので、一度設定した配置も好みによって何時でも自由にレイアウト変更をすることができる。また、複数の固定台３を積層することによって、高さを任意に設定することができ、ディスプレイするフィギュアの種類によって高さを容易に変更することができる。例えば、シークレット物のフィギュアを誇張したい場合や、鳥などのフィギュアを高い位置に配置したい場合に最適である。
【００２２】
次に、図２及び図３を用いて追加台座について説明する。ここで、図２は一段の追加台座を示す斜視図であり、図３は二段の追加台座を示す図であり、（Ａ）はその斜視図、（Ｂ）はその部分側面図である。
【００２３】
図２に示す追加台座５は、略直方体の形状であって、上面に複数の穴２１が穿設されたフィギュア載置面５ａを有し、下面の四隅には台座２の穴２１に挿入される固定ピン５ｂが形成されている。かかる追加台座５を使用することによって、階段状のフィギュア載置面２ａ，５ａを形成することができ、複数列にフィギュアを配置する場合に後ろ側のフィギュアが前側に配置されたフィギュアによって見えなくなるという不具合を解消することができる。なお、図２では、追加台座５の横幅を台座２と同じものを図示したが、これに限定されるものではなく、横幅・奥行き・高さは任意に設定することができるものである。
【００２４】
図３に示す追加台座６は、階段状に形成された台座であって、上面に複数の穴２１が穿設された２つのフィギュア載置面６ａ，６ａを有し、下面の四隅には台座２の穴２１に挿入される固定ピン６ｂが形成されている。かかる追加台座６を使用することによって、３段の階段状のフィギュア載置面を形成することができ、複数列（特に３列以上）にフィギュアを配置する場合に後ろ側のフィギュアが前側に配置されたフィギュアによって見えなくなるという不具合を解消することができる。なお、図３では、追加台座６の横幅を台座２と同じものを図示したが、これに限定されるものではなく、横幅・奥行き・高さは任意に設定することができるものである。
【００２５】
さらに、最上段のフィギュア載置面６ａは、回動ピン６ｃによって回動可能に支持されており、図３（Ｂ）に波線で示すように、フィギュア載置面６ａを傾斜させることができるようになっている。フィギュア載置面６ａには、図１に図示した固定台３を差し込んでフィギュア付ペットボトルキャップをディスプレイするようにしているため、フィギュア載置面６ａを傾斜させたとしてもフィギュアが転落することがない。これは、従来のコレクションケースでは不可能であった収納・展示方法であり、本実施形態のコレクションケースを採用して初めて可能となる収納・展示方法である。なお、このフィギュア載置面６ａを傾斜させる構造は、図３（Ｂ）に示した部分に限定して適用されるものではなく、図３（Ｂ）における追加台座６の下段のフィギュア載置面６ａに適用してもよいし、図２に示した追加台座５のフィギュア載置面５ａに適用してもよいことはもちろんである。
【００２６】
次に、図４を用いて固定台３の変更例について説明する。ここで、図４（Ａ）は変更例１を示す上面図、図４（Ｂ）は変更例２を示す上面図、図４（Ｃ）は変更例３を示す上面図、図４（Ｄ）は特殊固定台の実施形態を示す斜視図である。
【００２７】
図４（Ａ）に示す固定台３は、基本的な構造は図１に示した固定台３と同様に、略円柱状の形状をしており、下面にフィギュア載置面２ａの穴２１に挿入される２本の固定ピン３ａを有し、上面に他の固定台３の固定ピン３ａを挿入することができる積層用穴３ｂが形成されている。かかる固定台３の円柱形状部分は中実であってもよいし、空洞であってもよい。図４（Ａ）に示す固定台３は、円柱形状部分が空洞に形成されており、その上面及び下面には孔３ｃが形成されている。この孔３ｃは、固定台３の取り外しの際に指などを挿通するためのものである。
【００２８】
図４（Ｂ）に示す固定台３は、基本的な構造は図４（Ａ）に示した固定台３と同様である。異なる点は、外形が円柱形状ではなく、部分的に円柱形状の外形を保ちつつ、フィギュア付ペットボトルキャップを支持するのに不要な部分を削り取ったものである。かかる構造により、この孔３ｃは、固定台３の取り外しの際に指などで把持しやすくすることができる。
【００２９】
図４（Ｃ）に示す固定台３は、外形を角柱状にしたものである。対角線の長さがフィギュア付ペットボトルキャップの内径に適合するように形成されている。かかる構造により、角部がフィギュア付ペットボトルキャップの内側に接触することにより、所望のフィギュア付ペットボトルキャップを支持することができる。この場合にも、固定台３の角柱形状部分は中実であってもよいし、空洞であってもよいのはもちろんである。
【００３０】
図４（Ｄ）に示す特殊固定台４１は、フランジ部４１ａと、フランジ部４１ａの下面に形成されたフィギュア載置面２ａの穴２１に挿入される固定ピン４１ｂと、フランジ部４１ａの上面に形成された支持ピン４１ｃと、から形成されている。かかる特殊固定台４１は、フィギュア付ペットボトルキャップを支持するものではなく、発砲スチロールなどによって作成したディスプレイ用装飾物（例えば、岩や珊瑚や建物など）を個別にディスプレイするためのものである。支持ピン４１ｃをディスプレイ用装飾物に差し込み、固定ピン４１ｂを台座のフィギュア載置面に差し込むことによって、任意の装飾を任意の位置に施すことができる。この特殊固定台４１を用いることによって、コレクションしたフィギュアのディスプレイに幅を持たせることができ、オリジナルのディスプレイを作成することができる。
【００３１】
次に、図５を用いて、オプションのフラット台座５１について説明する。図５は、フラット台座５１の全体斜視図である。
【００３２】
図５に示すフラット台座５１は、フィギュア載置面を形成する金属板５１ａと、台座２の穴２１に挿入される固定ピン５１ｂと、から構成されている。かかるフラット台座５１は、台座２に穿設された複数の穴２１を隠したい場合に使用するものである。しかし、台座２の穴２１を隠してしまうと、固定台３を使用することができない。そこで、フラット台座５１を金属板で構成し、固定台として専用マグネット５２を採用している。
【００３３】
この専用マグネット５２は、フィギュア付ペットボトルキャップを被せるのに最適な大きさに設計されており、例えば、通常のペットボトルキャップであれば、径は約３ｃｍ、高さは約１．５ｃｍ程度に設計される。また、金属板５１ａの表面は、金属が剥き出しのままであってもよいし、大理石風のシールやペイントを施してもよいし、絨毯やビロードのような布を貼り付けたりしてもよい。なお、フラット台座５１を板状のマグネットとしたり、フラット台座にマグネットを埋め込む等の形態とし、固定台側を金属で形成してもよい。また、図２や図３に示したような追加台座５，６を使用したい場合には、図示しないが、同様の形状の台座を用意し、下面に固定ピン５ｂ，６ｂの代わりに板状のマグネットを全面又は部分的に貼付するようにすればよい。
【００３４】
［第２実施形態］
次いで、本発明の第２実施形態について、図面を参照しつつ説明する。図６は、本実施形態に係るコレクションケースの概略構成を示す説明図である。なお、本実施形態において、上述した第１実施形態と同一の構成要素には同一の符号を付し、その機能等は特に言及しない限り同一であり、その説明は省略する。
【００３５】
本実施形態において台座２は、図６に示すように、ディスプレイ台７の一部を構成する板状をなしている。すなわち、本実施形態に係る台座２は、上面がフィギュア１を収納又は展示するフィギュア載置面２ａを形成する板状をなし、カバーケース４とともに、ディスプレイ台７の上面に嵌め込まれるように構成されている。
【００３６】
ディスプレイ台７は、台座２を装飾するとともに、台座２をより安定させて設置するためのものであり、台座２やカバーケース４が載置される平坦部分と、デジタル時計や温度計、カレンダーなどの表示機能を備えた液晶プレート７１を備えた傾斜部分とから構成されている。この傾斜部分は、カバーケース４に接触する側が垂直に切り立っており、カバーケース４の側面下部を覆うように構成されている。
【００３７】
また、ディスプレイ台７の内部には、図７及び図８に示すように、台座２の下方に配置された照明部７ａを備えている。この照明部７ａは、台座２に多数設けられた穴２１を通じて光を照射する手段であり、例えば、電球や蛍光灯、発光ダイオードの他、ブラックライト等を用いることができる。さらに、ディスプレイ台７の傾斜部分内にも、カバーケース４内を側方から照射する照明部７ｂが設けられている。すなわち、上述したカバーケース４の側面下部を覆う部分内に、カバーケース４内に向けられた電球等が設けられている。
【００３８】
本実施形態において、固定ピンは、図９（ａ）及び（ｂ）に示すような、蛍光アクリルやファイバー等の透光性の部材で構成された透光性ピン８１又は８２となっている。透光性ピン８１は、円盤状の板部材８１ｂの下方からピン部材８１ｃが突設されており、板部材８１ｂの上面には、例えば両面テープなど、粘着力を有する粘着性部材８１ａが貼り付けられ、板部材８１ｂの上面にフィギュア１を粘着性部材８１ａで透光性ピン８１上に固定するようになっている。そして、この透光性ピン８１では、図１０（ａ）に示すように、板部材８１ｂにより穴２１から抜け落ちないようになっているとともに、ピン部材８１ｃ内を通じて入射された光が板部材８１ｂの側面から光が射出されるようになっている。
【００３９】
また、透光性ピン８２は、台座２の穴２１に嵌め込まれるピン部材８２ｂと、このピン部材８２ｂよりも径の大きい円柱状の発光部８２ａと、ピン部材８２ｂの上部が発光部８２ａの上方に突出されることによって形成された突部８２ｃとから構成されている。この透光性ピン８２は、径が大きい発光部８２ａにより穴２１から抜け落ちないようになっているとともに、図１０（ｂ）に示すように、ピン部材８２ｂ内を通じて入射された光が発光部８２ａ内で乱反射し、発光部８２ａの側面や、突部８２ｃの上面や側面から光が射出されるようになっている。
【００４０】
さらに、本実施形態では、上述した追加台座として図１１又は図１２に示すものを用いる。この追加台座９は、階段状の雛壇部９ａと、通路９４を有するトンネル部９ｂとを備えている。これら雛壇部９ａとトンネル部９ｂとは一体的に形成されており、内部で連通して収納９３を形成している。この収納９３には、雛壇部９ａに置ききれないフィギュア１を収納することができる。
【００４１】
詳述すると、雛壇部９ａは、本実施形態では二段となっており、その各々の上面には多数の穴９１が穿設されている。一方、トンネル部９ｂは、内部の収納９３に連通する通路９４が形成されている。内部収納９３は、図１１（ｂ）に示すように、その内壁面９２が鏡面加工されており、照明部７ａからの光が乱反射し、上面の穴９１や通路９４などから射出されるようになっている。
【００４２】
このトンネル部９ｂは、内部にフィギュア１を収納するために収納用の通路としてもよいが、例えばこの通路９４を洞窟などに見立てて、洞窟内に生息する動物のフィギュアなどを飾るなどして演出効果を奏するようにしてもよい。
【００４３】
さらにこの追加台座９には、図１２に示すように、デコレーションパーツ９５ａや９５ｂ、９６ａ〜９６ｃ、９７等を装着させることが可能となっている。すなわち、追加台座９上面の穴９１を利用して水平なデコレーションパーツ９５ａ及び９５ｂを嵌め込み固定し、この９５ａ及び９５ｂに連結される壁状の９６ａ〜９６ｃを追加台座９に固定する。さらに、水平なデコレーションパーツ９７上に追加台座９を固定し、デコレーションパーツ９７ごと台座２上に取付ける。デコレーションパーツ９５ａ，９５ｂ及び９７は、例えば海底面や岩場などいわゆるジオラマのベースを形成する装飾部品であり、壁状のデコレーションパーツ９６ａ〜９６ｃは、背景（珊瑚や海草）など垂直な壁面を形成する装飾部品である。なお、これらのデコレーションパーツは、内部が透光性の部材で形成されており、追加台座の穴９１から入射される光を、デコレーションパーツ内を透光させて壁面の背景の一部（珊瑚や海草）などを発光させるようにしてもよい。
【００４４】
以上説明した本実施形態に係るコレクションケースによれば、照明部７ａを備えたディスプレイ台７上に台座２等を設置し、台座２やフィギュア１をライトアップしたり、部分発光させたりすることが可能となり、ディスプレイの多様化を図ることができる。
【図面の簡単な説明】
【００４５】
【図１】第１実施形態に係るコレクションケースの全体構成を示す図である。
【図２】第１実施形態に係る一段の追加台座を示す斜視図である。
【図３】第１実施形態に係る二段の追加台座を示す図であり、（Ａ）は斜視図、（Ｂ）は部分側面図である。
【図４】第１実施形態の変更例に係る固定台の実施形態を示す図であり、（Ａ）は変更例１を示す上面図、（Ｂ）は変更例２を示す上面図、（Ｃ）は変更例３を示す上面図、（Ｄ）は特殊固定台の実施形態を示す斜視図である。
【図５】第１実施形態に係るフラット台座を示す全体構成を示す図である。
【図６】第２実施形態に係るコレクションケースの全体構成を示す外観図である。
【図７】第２実施形態に係るコレクションケースの全体構成を示す分解斜視図である。
【図８】第２実施形態に係るコレクションケースのディスプレイ台７の内部構成を示す側面図である。
【図９】第２実施形態に係るコレクションケースの透光性ピンを示す説明図である。
【図１０】第２実施形態に係るコレクションケースの透光性ピンの発光状体を示す説明図である。
【図１１】第２実施形態に係るコレクションケースの追加台座を示す外観図である。
【図１２】第２実施形態に係るコレクションケースの追加台座の変更例を示す外観図である。
【符号の説明】
【００４６】
１…フィギュア
２…台座
２ａ，５ａ，６ａ，５１ａ…フィギュア載置面
２ｂ…係合孔
２ｃ…ネームプレート部
３…固定台
３ａ，５ｂ，６ｂ，４１ｂ，５１ｂ…固定ピン
３ｂ…積層用穴
３ｃ…孔
４…カバーケース
４ａ…係合爪
４ｂ…装飾爪
５，６，９…追加台座
６ｃ…回動ピン
７…ディスプレイ台
７ａ，７ｂ…照明部
９ａ…雛壇部
９ｂ…トンネル部
２１，９１…穴
４１…特殊固定台
４１ａ…フランジ部
４１ｃ…支持ピン
５１…フラット台座
５１ａ…金属板
５２…専用マグネット
７１…液晶プレート
８１，８２…透光性ピン
８１ａ…粘着性部材
８１ｂ…板部材
８１ｃ…ピン部材
８２ａ…発光部
８２ｂ…ピン部材
８２ｃ…突部
９２…内壁面
９３…収納
９４…通路
９５ａ，９５ｂ，９６ａ〜９６ｃ，９７…デコレーションパーツ
【図１】
2006006911.tif 000003
【図２】
2006006911.tif 000004
【図３】
2006006911.tif 000005
【図４】
2006006911.tif 000006
【図５】
2006006911.tif 000007
【図６】
2006006911.tif 000008
【図７】
2006006911.tif 000009
【図８】
2006006911.tif 000010
【図９】
2006006911.tif 000011
【図１０】
2006006911.tif 000012
【図１１】
2006006911.tif 000013
【図１２】
2006006911.tif 000014